(57)【要約】【課題】着呼時に発信者の感情、都合、目的などを確認できるようにする。【解決手段】携帯電話機の発呼操作が行われると、画像選択手段により選択された画像を画像記憶手段から読み出し、画像送受信手段により通話先に送信するとともに、着呼時に画像送受信手段を介して画像を受信すると、携帯電話機のオフフック操作が行われる前に受信画像を画像表示手段に表示する。【選択図】　図４
2004015158.tif 000002
【特許請求の範囲】
【請求項１】
音声送受信手段と画像送受信手段とを備えた複数の携帯電話機を通信網を介して接続する携帯電話通信システムにおいて、
画像を記憶する画像記憶手段と、
画像を表示する画像表示手段と、
前記画像記憶手段に記憶されている画像の中から通話先に送信する画像を選択する画像選択手段と、
前記携帯電話機の発呼操作が行われると、前記画像選択手段により選択された画像を前記画像記憶手段から読み出し、前記画像送受信手段により通話先に送信するとともに、着呼時に前記画像送受信手段を介して画像を受信すると、前記携帯電話機のオフフック操作が行われる前に前記受信画像を前記画像表示手段に表示する制御手段とを携帯電話機に備えることを特徴とする携帯電話通信システム。
【請求項２】
請求項１に記載の携帯電話通信システムにおいて、
前記画像選択手段は、前記画像記憶手段に記憶されている画像を読み出して前記画像表示手段にサムネイル表示し、前記携帯電話機の１〜９の数字キー操作により指定された画像を選択することを特徴とする携帯電話通信システム。
【請求項３】
請求項１に記載の携帯電話通信システムにおいて、
前記画像記憶手段は特定の通話先に対して予め選択された画像を記憶し、
前記画像選択手段は、前記特定の通話先に発呼するときは前記記憶手段から当該通話先に対応する画像を選択することを特徴とする携帯電話通信システム。
【請求項４】
請求項１〜３のいずれかの項に記載の携帯電話通信システムにおいて、
前記画像記憶手段に記憶されている画像に識別番号を付し、
前記制御手段は、前記携帯電話機の発呼操作が行われると、前記画像選択手段により選択された画像の代わりに前記選択画像の識別番号を通話先へ送信するとともに、着呼時に前記選択画像の識別番号を受信すると、前記携帯電話機のオフフック操作が行われる前に前記画像記憶手段から前記識別番号に対応する画像を読み出して前記画像表示手段に表示することを特徴とする携帯電話通信システム。
【請求項５】
請求項４に記載の携帯電話通信システムにおいて、
通信網の中継機に画像を記憶する画像記憶手段を備え、
通信網の前記中継機は、前記携帯電話機から発呼にともなって識別番号を受信すると、前記画像記憶手段から発信者の携帯電話機番号の前記識別番号に対応する画像を読み出し、発信先へ送信することを特徴とする携帯電話通信システム。
【請求項６】
請求項１〜５に記載の携帯電話通信システムにおいて、
発呼時に発信先へ送信する画像は、発信者の感情、都合、目的を表す発信者の顔の画像であることを特徴とする携帯電話通信システム。
【請求項７】
請求項１〜６のいずれかの項に記載の携帯電話通信システムにおいて、
携帯電話機は、着呼時に応答せずに画像による返信を行うための画像応答操作部材を備え、
前記制御手段は、着呼時に前記画像応答操作部材が操作されると、前記画像選択手段により選択された画像を前記画像記憶手段から読み出し、前記画像送受信手段により発信先に送信することを特徴とする携帯電話通信システム。
【発明の詳細な説明】
【０００１】
【発明の属する技術分野】
本発明は、ＰＨＳを含む携帯電話機の通信システムに関する。
【０００２】
【従来の技術】
携帯電話機に電話番号を登録する際に、デジタルカメラなどで撮像した顔画像と対応づけて記録しておき、着呼の際に発信者の電話番号から発信者の顔画像を読み出して表示し、発信者を容易に確認できるようにした携帯電話通信システムが知られている（例えば特開平１０−３２７２３２号公報参照）。
【０００３】
【発明が解決しようとする課題】
しかしながら、従来の携帯電話通信システムでは、着呼の際には常に予め記録されている顔画像が表示されるため、実際には発信者が怒ったり悲しんでいるのに笑っている画像が表示されることがあり、応答後に戸惑うことがある。
【０００４】
本発明の目的は、着呼時に発信者の感情、都合、目的などを確認できるようにした携帯電話通信システムを提供することにある。
【０００５】
【課題を解決するための手段】
（１）　請求項１の発明は、音声送受信手段と画像送受信手段とを備えた複数の携帯電話機を通信網を介して接続する携帯電話通信システムに適用される。
そして、画像を記憶する画像記憶手段と、画像を表示する画像表示手段と、前記画像記憶手段に記憶されている画像の中から通話先に送信する画像を選択する画像選択手段と、前記携帯電話機の発呼操作が行われると、前記画像選択手段により選択された画像を前記画像記憶手段から読み出し、前記画像送受信手段により通話先に送信するとともに、着呼時に前記画像送受信手段を介して画像を受信すると、前記携帯電話機のオフフック操作が行われる前に前記受信画像を前記画像表示手段に表示する制御手段とを携帯電話機に備える。
（２）　請求項２の携帯電話通信システムは、前記画像選択手段によって、前記画像記憶手段に記憶されている画像を読み出して前記画像表示手段にサムネイル表示し、前記携帯電話機の１〜９の数字キー操作により指定された画像を選択するようにしたものである。
（３）　請求項３の携帯電話通信システムは、前記画像記憶手段が特定の通話先に対して予め選択された画像を記憶し、前記画像選択手段によって、前記特定の通話先に発呼するときは前記記憶手段から当該通話先に対応する画像を選択するようにしたものである。
（４）　請求項４の携帯電話通信システムは、前記画像記憶手段に記憶されている画像に識別番号を付し、前記制御手段によって、前記携帯電話機の発呼操作が行われると、前記画像選択手段により選択された画像の代わりに前記選択画像の識別番号を通話先へ送信するとともに、着呼時に前記選択画像の識別番号を受信すると、前記携帯電話機のオフフック操作が行われる前に前記画像記憶手段から前記識別番号に対応する画像を読み出して前記画像表示手段に表示するようにしたものである。
（５）　請求項５の携帯電話通信システムは、通信網の中継機に画像を記憶する画像記憶手段を備え、通信網の前記中継機によって、前記携帯電話機から発呼にともなって識別番号を受信すると、前記画像記憶手段から発信者の携帯電話機番号の前記識別番号に対応する画像を読み出し、発信先へ送信するようにしたものである。
（６）　請求項６の携帯電話通信システムは、発呼時に発信先へ送信する画像を、発信者の感情、都合、目的を表す発信者の顔の画像としたものである。
（７）　請求項７の携帯電話通信システムは、携帯電話機に、着呼時に応答せずに画像による返信を行うための画像応答操作部材を備え、前記制御手段によって、着呼時に前記画像応答操作部材が操作されると、前記画像選択手段により選択された画像を前記画像記憶手段から読み出し、前記画像送受信手段により発信先に送信するようにしたものである。
【０００６】
【発明の実施の形態】
《発明の第１の実施の形態》
図１は第１の実施の形態の携帯電話通信システムの構成を示す。携帯電話機１は、公衆電話回線網２の多数の中継機２ａを介して他の携帯電話機３あるいは一般加入電話機（不図示）と通話する。この図では２台の携帯電話機１，３を代表的に示すが、一実施の形態の携帯電話通信システムは図示しない多数の携帯電話機と公衆電話回線網２により構成されている。なお、以下では携帯電話機１を発信側、携帯電話機３を受信側として説明する。
【０００７】
図２は携帯電話機１、３の構成を示す。この一実施の形態では、説明を分かりやすくするために発信側の携帯電話機１と受信側の携帯電話機３とが同一種類のものであるとして説明する。携帯電話機１，３は、マイク１１、符号部１２、変調部１３および送信部１４から構成される音声送信系統を介して利用者の音声を送信する。また、受信部１５、復調部１６、符号部１７およびスピーカー１８から構成される音声受信系統を介して通話相手の音声を再生する。なお、切換部１９は送信時には送信部１４とアンテナ２０とを接続し、受信時には受信部１５とアンテナ２０とを接続する。
【０００８】
携帯電話機１，３はまた、小形のＣＣＤカメラ２１を備えており、カメラ２１、画像処理部２２、変調部１３および送信部１４から構成される画像送信系統を介して画像を送信する。さらに、受信部１５、画像生成部２３およびディスプレイ２４から構成される画像受信系統を介して画像を再生する。なお、画像メモリ２５はカメラ２１で撮像した画像と、画像受信系統を介して受信した画像を記録する。
【０００９】
コントローラ２６は、不図示のマイクロコンピューターとＲＡＭ、ＲＯＭなどの周辺部品を備え、キー入力部２７からの操作信号に基づいて音声と画像の上述した送受信系統を制御する。なお、キー入力部２７には不図示の０〜９の押しボタンや方向キーなどの操作部材が含まれる。
【００１０】
図３は第１の実施の形態の発信処理を示すフローチャートである。ステップ１において、発信者がキー入力部２７により入力操作した通話先の電話番号を入力する。電話番号読み込み後のステップ２で、発信者がキー入力部２７により選択した発呼時に添付する画像（以下、添付画像という）の番号を入力する。この添付画像は発信者の現在の感情を表す画像であり、予めカメラ２１で撮像されて画像メモリ２５に添付画像として記憶されているものである。
【００１１】
添付画像には、発信者の普通の表情、うれしい表情、悲しい表情、怒っている表情など、喜怒哀楽をよく表している発信者の顔画像や、ペット、アイドル、アニメなどの画像を用いる。なお、パソコンやスキャナーなどの外部機器から取り込み、画像メモリ２５に記憶しておいた画像を用いてもよい。また、この一実施の形態では発信者の発信時の”感情”を表す添付画像を選択するとして説明するが、この”感情”には発信時の都合や目的に応じた感情も含まれる。例えば急いで連絡をとりたい場合には、焦っている表情の顔画像を選択してそのときの感情を表す。
【００１２】
なお、携帯電話機１，３の工場出荷時には、画像メモリ２５に喜怒哀楽を表すデフォルト画像が記憶されている。利用者はこのデフォルト画像をそのまま添付画像として利用してもよいし、付属のカメラ２１で自画像などを撮影し、添付画像として記憶、登録することができる。添付画像登録は例えば以下のようにして行う。カメラ２１で自画像などを撮影し、この画像がディスプレイ２４に表示されているときにキー入力部２７から喜怒哀楽の種類を入力すると、この画像が画像メモリ２５に記憶されているデフォルト画像と差し替えられ、画像メモリ２５に記憶、登録される。したがって、カメラ２１で添付画像として用いる画像を撮影する前でも、画像メモリ２５に記憶されているデフォルト画像を添付画像として用いることができ、必要に応じてこれらのデフォルト画像を個性的な自画像などに差し替えることもできる。
【００１３】
これらの添付画像は、図４に示すように、ディスプレイ２４にサムネイル表示し、キー入力部２７の方向キーやテンキーにより発信者に選択させる。図４に示す添付画像の表示例では４枚の添付画像をサムネイル表示する例を示すが、添付画像の枚数は何枚でもよく、必要に応じて順次追加していく。例えば、ディスプレイ２４に縦３枚、横３枚合計９枚の添付画像をサムネイル表示し、キー入力部２７の１〜９の押しボタンにより選択させる。通常、携帯電話機の１〜９の押しボタンは縦３個、横３個に配列されているから、９枚の添付画像と９個の押しボタンとの対応関係が直感的になり、現在の感情を表す画像を選びやすい。
【００１４】
なお、添付画像の選択頻度を学習し、選択頻度の高い順にディスプレイ２４に表示するようにしてもよい。これにより、よく使う画像から順に並べられることになり、選択し易くなる。
【００１５】
通話相手の電話番号に続いて発信者がキー入力部２７から入力した添付画像の番号を読み込んだ後、ステップ３で、発信者が選択した添付画像を画像メモリ２５から読み込み、通話先の電話番号に発呼して添付画像のデータを送信する。そして、ステップ４で通話先からの応答を待つ。なお、通話待機以後の処理については本願発明と直接に関係しないので、説明を省略する。
【００１６】
添付画像データは発信側の携帯電話機１から公衆電話回線網２を介して受信側の携帯電話機３へ送られ、図４に示すように受信側の携帯電話機３のディスプレイ２４に表示される。この例では、発信者が現在の感情を表す悲しい表情の顔画像を選択した場合の例を示し、着呼時に受信側の携帯電話機３に発信者の悲しい表情の顔画像が表示される。
【００１７】
これにより、受信者は、キー入力部２７のオフフックボタンを操作して応答する前に、発信者が何らかの事情で悲しい状況にあることを認識することができる。したがって、受信者が電話に応答することができない、もしくは応答が困難な場所または状況にある場合でも、都合をつけて応答したり、すぐに折り返し電話をかけ直すことができる。一方、受信者が電話に応答することができない、もしくは応答が困難な場所または状況にある場合に、着呼とともに発信者の通常の表情の顔画像が表示されたら、応答できるようになるまで応答を保留することができる。また、着呼とともに発信者の怒りの表情の顔画像が表示されたら、すぐに応答するよりもしばらく時間をおいたほうがよいと判断して応答を保留することもできる。
【００１８】
このように第１の実施の形態によれば、発信者が現在の感情を表す顔画像を添付して発呼することにより、受信者は現在の発信者の感情を確認することができ、電話した目的や発信者の都合などを推測することができる。そして、着呼時の場所や状況などに応じて応答するか、または保留するかを適切に判断できる上に、発信者の現在の感情に応じて適切な受け答えができる。
【００１９】
《第１の実施の形態の変形例》
上述した一実施の形態では発呼の都度、発信者が選択した画像を添付して送信する例を示したが、受信側で添付画像を受信するたびに画像メモリ２５に記憶しておき、発信側からは添付画像を送信する代わりに添付画像を指定する識別番号（ＩＤ）を送信し、受信側で識別番号に対応する画像を画像メモリ２５から読み出して表示するようにした変形例を説明する。なお、この変形例の基本的な構成は図１および図２に示す構成と同様であり、説明を省略する。
【００２０】
図５は変形例の発信および受信処理を示すフローチャートである。なお、図３に示す処理と同一の発信処理を行うステップに対しては同一のステップ番号を付して説明する。発信側電話機１のコントローラー２６は、ステップ１で発信者が入力操作した通話先の電話番号を入力し、続くステップ２で発信者が選択した添付画像の番号を入力する。
【００２１】
ステップ３Ａにおいて、発信者が選択した添付画像の識別番号をメモリ（不図示）から読み出し、通話先の電話番号に発呼して添付画像の識別番号を送信する。識別番号は、通話先の電話番号に続く、所定の桁数の数字とする。予め用意する添付画像の枚数が多い場合には、二桁またはそれ以上となる。
【００２２】
発呼時の添付画像の識別番号は、発信側の携帯電話機１から公衆電話回線網２を介して受信側の携帯電話機３へ送られる。受信側電話機３のコントローラー２６は、ステップ２１で着呼し、添付画像の識別番号を受信する。ステップ２２で、識別番号の添付画像が画像メモリ２５に記憶されているかどうかを確認し、記憶されている場合はステップ２５へ進み、画像メモリ２５から識別番号に対応する添付画像を読み出してディスプレイ２４に表示する。
【００２３】
発信側から発呼の都度送られる添付画像は受信側の画像メモリ２５に順次、記憶されるため、発信側から送られた識別番号の添付画像が記憶されていないことがある。識別番号の添付画像が画像メモリ２５に記憶されていない場合はステップ２３へ進み、添付画像の送信要求を発信側へ返信する。なお、頻繁に交信を行う通話先へ、必要な添付画像を予めまとめて送っておくようにしてもよい。
【００２４】
発信側電話機１のコントローラー２６は、ステップ１１で受信側から添付画像の送信要求を受けると、続くステップ１２で先に選択した添付画像を画像メモリ２５から読み出し、送信する。そして、ステップ４で通話先からの応答を待つ。
【００２５】
受信側電話機１のコントローラー２６は、ステップ２４で発信側から送信された添付画像を受信し、続くステップ２５で送信された添付画像をディスプレイ２４に表示するとともに、今回新たに入手した添付画像を識別番号と対応づけて画像メモリ２５に記憶する。
【００２６】
この変形例によれば、受信側で添付画像を受信するたびに識別番号と対応づけて記憶しておき、発信側から添付画像を送信する代わりに添付画像を指定する識別番号を送信し、受信側で識別番号に対応する画像を読み出して表示するようにしたので、発着呼のたびに容量の大きな画像データを送受信する必要がなくなり、発着呼時の処理時間を短縮して通信コストを低減することができる。
【００２７】
なお、通常、頻繁に通話する相手の電話番号を携帯電話機の電話帳に記憶し、登録しておくことが行われる。このとき、登録する通話先ごとに添付画像を選択し、デフォルト画像として電話番号と対応づけて画像メモリ２５に記憶しておき、登録先に発呼するときに登録先の電話番号に対応するデフォルト画像を読み出して送信するようにしてもよい。このようにすれば、頻繁に通話する相手、例えば家族、会社の上司、同僚および部下、恋人などに応じて適切な添付画像を自動的に選択することができ、添付画像送信時の操作性を向上させることができる上に、通話相手に相応しくない画像が送られるのを避けることができる。
【００２８】
《発明の第２の実施の形態》
着呼時に表示される発信者の添付画像を見て今すぐ応答するか否かを決定し、今すぐ応答しない場合には応答できないことを表す画像（以下、応答画像という）を返信するようにした第２の実施の形態を説明する。なお、この第２の実施の形態の構成は基本的に図１および図２に示す構成と同様であり、説明を省略する。
【００２９】
図６は第２の実施の形態の返信処理を示すフローチャートである。着呼があると受信側電話機３のコントローラー２６は図６に示す返信処理を開始する。このとき、ディスプレイ２４には発信者の感情や都合、あるいは状況を表す添付画像が表示されている。ステップ３１において、受信者が受信側携帯電話機３のキー入力部２７に含まれるオフフックボタンを操作しているかどうかを確認し、オフフックボタンが操作されているときはステップ３２へ進み、音声送受信系統を作動させて発信者との通話を可能にする。
【００３０】
一方、発呼に際してオフフック操作がなされていない場合はステップ３３へ進み、キー入力部２７により応答画像の選択操作がなされたか否かを確認し、応答画像の選択操作がなされていない場合はステップ３１へ戻り、選択操作がなされたらステップ３４へ進む。ステップ３４では、受信者により選択された応答画像を画像メモリ２５から読み出し、発信者側の携帯電話機１へ送信する。
【００３１】
図７は応答画像による返信例を示す図である。着呼時に発信者のうれしそうな顔写真の添付画像が受信側電話機３に表示されたときに、受信者は、仕事中あるいは会議中で今すぐ電話に出られない場合、キー入力部２７の画像応答ボタンを操作して方向キーまたは数字キーにより仕事中や会議中の応答画像を選択する。キー入力部２７の画像応答ボタンは、仕事中や会議中の応答画像を発信者に送信して今すぐ電話に出られないことを伝えるために操作する操作部材である。
【００３２】
応答画像には、着呼時にすぐに応答できない受信者の状況や理由を表す画像、例えば図７に示す仕事中や会議中の画像を予め撮像し、画像メモリ２５に記憶しておく。着呼時にキー入力部２７の画像応答ボタンが押されたら、画像メモリ２５から応答画像を読み出してディスプレイ２４にサムネイル表示する。受信者はキー入力部２７の方向キーまたは数字キーを操作して応答画像を選択する。
【００３３】
この応答画像は発信側電話機１へ送信され、発信者側電話機１のディスプレイ２４に表示される。これにより、発信者は通話相手が今すぐに電話に出られないことを確認できる。
【００３４】
なお、添付画像または応答画像に文字や絵を書き込む装置を使って手書きの文字や絵を書き込み、画像に文字や絵を重畳して発信者あるいは返信者の感情や都合、あるいはそのときの状況などを分かりやすく伝えるようにしてもよい。また、画像修正装置により添付画像を修正し、発信者あるいは返信者の感情や都合、あるいはそのときの状況が一目で確認できるようにしてもよい。
【００３５】
《発明の第３の実施の形態》
上述した第２の実施の形態では、受信側電話機３の画像メモリ２５に識別番号と対応づけて添付画像を記憶する例を示したが、添付画像を公衆電話回線網２の中継機２ａに記憶する第３の実施の形態を説明する。なお、この第３の実施の形態の構成は図１および図２に示す構成と基本的に同様であり、図示を省略する。
【００３６】
図８は第３の実施の形態の添付画像の送信方法を示す。発呼時には、発信側電話機１から発信者が選択した添付画像の識別番号（ＩＤ）のみが公衆電話回線網２の中継機２ａへ送られる。公衆電話回線網２の中継機２ａには利用者の画像データを記憶する記憶装置２ｂが設置されており、発呼にともなって発信側電話機１から添付画像の識別番号を受信すると、記憶装置２ｂから発信側電話機１の電話番号と識別番号に対応する添付画像を検索する。
【００３７】
中継機２ａの記憶装置２ｂに発信者電話番号の識別番号に対応する添付画像が記憶されていない場合には、発信側電話機１へ識別番号に対応する添付画像の送信を要求する。発信側電話機１は、公衆電話回線網２の中継機２ａから添付画像の送信要求があると、画像メモリ２５から読み出して送信する。公衆電話回線網２の中継機２ａは、送信を要求した添付画像を発信者電話番号と識別番号に対応づけて記憶装置２ｂに記憶する。
【００３８】
一方、公衆電話回線網２の中継機２ａは、発信側電話機１の発呼時にとりあえず受信側電話機３へ発呼信号と添付画像の識別番号を送信する。受信側電話機３は、着呼時に識別番号に対応する添付画像が画像メモリ２５に記憶されているかどうかを検索し、記憶されていない場合は公衆電話回線網２の中継機２ａへ添付画像の送信を要求する。受信側電話機３の画像メモリ２５に識別番号に対応する添付画像が記憶されている場合は、その添付画像をディスプレイ２４に表示する。
【００３９】
一方、受信側電話機３から添付画像の送信要求を受けた公衆電話回線網２の中継機２ａは、識別番号に対応する添付画像を記憶装置２ｂから検索し、受信側電話機３へ送信する。添付画像を受信した受信側電話機３はディスプレイ２４に表示する。
【００４０】
このように第３の実施の形態では、添付画像を公衆電話回線網２の中継機２ａに設置された記憶装置２ｂに記憶しておき、発呼時に発信側から要求された識別番号の添付画像を記憶装置２ｂから読み出して受信側へ送信するようにしたので、発信側携帯電話機１および受信側携帯電話機３の画像メモリ２５の記憶容量を低減したり、あるいは画像メモリ２５を削除することもでき、携帯電話機１，３の通信負荷を軽減して装置のコストを低減することができる。
【００４１】
特許請求の範囲の構成要素と一実施の形態の構成要素との対応関係は次の通りである。すなわち、携帯電話機１，３の画像メモリ２５および公衆電話回線網２の記憶装置２ｂが画像記憶手段を、ディスプレイ２４が画像表示手段を、キー入力装置２７が画像選択手段および画像応答操作部材を、コントローラー２６が制御手段をそれぞれ構成する。なお、本発明の特徴的な機能を損なわない限り、各構成要素は上記構成に限定されるものではない。
【００４２】
なお、上述した一実施の形態では公衆電話回線網を介して接続される携帯電話機を例に上げて説明したが、本発明は、例えば無線ＬＡＮなどを使用したインターネット携帯電話のように、インターネットなどのあらゆる通信網を介して接続される携帯電話機に適用することができ、上述した一実施の形態と同様な効果を得ることができる。
【００４３】
【発明の効果】
以上説明したように本発明によれば、着呼時に発信者の感情、都合、目的を確認することができる。
【図面の簡単な説明】
【図１】第１の実施の形態の携帯電話通信システムの構成を示す図である。
【図２】携帯電話機の構成を示す図である。
【図３】第１の実施の形態の発信処理を示すフローチャートである。
【図４】第１の実施の形態の発信時の添付画像の表示例を示す図である。
【図５】第１の実施の形態の変形例の発信および受信処理を示すフローチャートである。
【図６】第２の実施の形態の返信処理を示すフローチャートである。
【図７】第２の実施の形態の応答画像による返信例を示す図である。
【図８】第３の実施の形態の添付画像の送信方法を示す図である。
【符号の説明】
１　発信側携帯電話機
２　公衆電話回線網
２ａ　中継機
２ｂ　記憶装置
３　受信側携帯電話機
１１　マイク
１２　符号部
１３　変調部
１４　送信部
１５　受信部
１６　復調部
１７　復号部
１８　スピーカー
１９　切換部
２０　アンテナ
２１　カメラ
２２　画像処理部
２３　画像生成部
２４　ディスプレイ
２５　画像メモリ
２６　コントローラー
２７　キー入力部
【図１】
2004015158.tif 000003
【図２】
2004015158.tif 000004
【図３】
2004015158.tif 000005
【図４】
2004015158.tif 000006
【図５】
2004015158.tif 000007
【図６】
2004015158.tif 000008
【図７】
2004015158.tif 000009
【図８】
2004015158.tif 000010